(57)【要約】【課題】他のユーザがどのような画像に注目するかをユーザに示す。【解決手段】画像データを管理するネットワーク上の１または２以上のサービス提供サーバから１または２以上の画像データに関するデータを取得する取得部と、前記取得部により取得されたデータのうちで、前記１または２以上の画像データの各々の注目度に応じた画像データに関するデータに基づく表示、および対象画像を含む表示画面を生成する表示制御部と、を備える表示制御装置。【選択図】図４
2014032446.tif 000002
【特許請求の範囲】
【請求項１】
画像データを管理するネットワーク上の１または２以上のサービス提供サーバから１または２以上の画像データに関するデータを取得する取得部と、
前記取得部により取得されたデータのうちで、前記１または２以上の画像データの各々の注目度に応じた画像データに関するデータに基づく表示、および対象画像を含む表示画面を生成する表示制御部と、
を備える、表示制御装置。
【請求項２】
前記画像データに関するデータは、前記画像データまたは前記画像データのサムネイルデータを含む、請求項１に記載の表示制御装置。
【請求項３】
前記表示制御装置は、
前記取得部により取得されたデータから、注目度の高い画像データに関するデータを優先的に選択する画像選択部をさらに備え、
前記表示制御部は、前記画像選択部により選択されたデータに基づく表示を含む表示画面を生成する、請求項１に記載の表示制御装置。
【請求項４】
前記画像選択部は、ユーザにより指定されたサービス提供サーバから取得されたデータから前記選択を行う、請求項３に記載の表示制御装置。
【請求項５】
前記画像選択部は、ユーザにより指定されたサービス提供サーバが管理する複数のグループのうちの、ユーザにより指定されたグループにおける注目度に応じて前記選択を行う、請求項４に記載の表示制御装置。
【請求項６】
前記画像選択部は、前記注目度をユーザにより指定された条件に従って特定する、請求項３に記載の表示制御装置。
【請求項７】
前記表示制御装置は、
前記対象画像について、前記画像データに関するデータに基づく表示から選択された表示に関連付けられた処理を実行する処理部をさらに備える、請求項１に記載の表示制御装置。
【請求項８】
前記表示制御装置は、
撮像部をさらに備え、
前記対象画像は、前記撮像部の撮像により得られた画像である、請求項１に記載の表示制御装置。
【請求項９】
前記表示制御装置は、
記憶部をさらに備え、
前記対象画像は、前記記憶部に記憶された画像データの再生により得られる画像である、請求項１に記載の表示制御装置。
【請求項１０】
前記表示制御部は、前記取得部により取得されたデータのうちで、前記対象画像との類似度が閾値以上であり、かつ、注目度が閾値以上である画像データに関するデータが存在する場合、前記１または２以上のサービス提供サーバへの前記対象画像のアップロードを推奨する表示を含む表示画面を生成する、請求項９に記載の表示制御装置。
【請求項１１】
画像データを管理するネットワーク上の１または２以上のサービス提供サーバから１または２以上の画像データに関するデータを取得することと、
前記１または２以上の画像データに関するデータのうちで、前記１または２以上の画像データの各々の注目度に応じた画像データに関するデータに基づく表示、および対象画像を含む表示画面を生成することと、
を含む、表示制御方法。
【請求項１２】
コンピュータを、
画像データを管理するネットワーク上の１または２以上のサービス提供サーバから１または２以上の画像データに関するデータを取得する取得部と、
前記取得部により取得されたデータのうちで、前記１または２以上の画像データの各々の注目度に応じた画像データに関するデータに基づく表示、および対象画像を含む表示画面を生成する表示制御部と、
として機能させるための、プログラム。
【発明の詳細な説明】
【技術分野】
【０００１】
本開示は、表示制御装置、表示制御方法およびプログラムに関する。
【背景技術】
【０００２】
近日、ネットワーク環境の発展に伴い、複数のユーザがネットワークを介して情報や画像を共有することが可能となっている。例えば、ユーザは、撮像装置により取得した画像をネットワークサーバにアップロードすることにより、当該画像を他のユーザに公開することができる。このため、ユーザは、他のユーザの注目度が高い画像の取得、およびアップロードを試みる場合がある。
【０００３】
この点に関連し、特許文献１には、対象画像についてユーザが他人に見せたくなる画像であるか否かを分類する技術が開示されている。この技術によれば、ユーザ自身の嗜好に基づいて対象画像を分類することが可能である。
【先行技術文献】
【特許文献】
【０００４】
【特許文献１】特開２００９−７１６６１号公報
【発明の概要】
【発明が解決しようとする課題】
【０００５】
しかし、上記の技術による分類には、他のユーザの嗜好が反映されない。したがって、ユーザは、他のユーザがどのような画像に注目するか、または、対象画像が他のユーザにどの程度注目されるかを画像のアップロード前に把握することが困難であった。
【０００６】
そこで、本開示では、他のユーザがどのような画像に注目するかをユーザに示すことが可能な、新規かつ改良された表示制御装置、表示制御方法およびプログラムを提案する。
【課題を解決するための手段】
【０００７】
本開示によれば、画像データを管理するネットワーク上の１または２以上のサービス提供サーバから１または２以上の画像データに関するデータを取得する取得部と、前記取得部により取得されたデータのうちで、前記１または２以上の画像データの各々の注目度に応じた画像データに関するデータに基づく表示、および対象画像を含む表示画面を生成する表示制御部と、を備える表示制御装置が提供される。
【０００８】
また、本開示によれば、画像データを管理するネットワーク上の１または２以上のサービス提供サーバから１または２以上の画像データに関するデータを取得することと、前記１または２以上の画像データに関するデータのうちで、前記１または２以上の画像データの各々の注目度に応じた画像データに関するデータに基づく表示、および対象画像を含む表示画面を生成することと、を含む表示制御方法が提供される。
【０００９】
コンピュータを、画像データを管理するネットワーク上の１または２以上のサービス提供サーバから１または２以上の画像データに関するデータを取得する取得部と、前記取得部により取得されたデータのうちで、前記１または２以上の画像データの各々の注目度に応じた画像データに関するデータに基づく表示、および対象画像を含む表示画面を生成する表示制御部と、として機能させるための、プログラムが提供される。
【発明の効果】
【００１０】
以上説明したように本開示によれば、他のユーザがどのような画像に注目するかをユーザに示すことが可能である。
【図面の簡単な説明】
【００１１】
【図１】本開示の実施形態による画像公開支援システムの構成を示した説明図である。
【図２】撮像装置の構成を示した機能ブロック図である。
【図３】表示画面の具体例を示した説明図である。
【図４】第１の実施形態による撮像装置のＣＰＵの機能を示した説明図である。
【図５】サービス選択画面の具体例を示した説明図である。
【図６】グループ選択画面の具体例を示した説明図である。
【図７】絞り込み条件の選択画面の具体例を示した説明図である。
【図８】画像関連情報を含む表示画面の具体例を示した説明図である。
【図９】表示画面の変形例を示した説明図である。
【図１０】撮影設定が適用された表示画面の具体例を示した説明図である。
【図１１】画像データの取得時の動作を示したフローチャートである。
【図１２】撮像時の動作を示したフローチャートである。
【図１３】第２の実施形態による撮像装置のＣＰＵの機能を示した説明図である。
【図１４】第２の実施形態による表示画面の具体例を示した説明図である。
【図１５】第２の実施形態による撮像装置の動作を示したフローチャートである。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、以下に示す項目順序に従って本開示を説明する。
１．画像公開支援サービスの基本構成
２．第１の実施形態
２−１．第１の実施形態による撮像装置の構成
２−２．第１の実施形態による撮像装置の動作
３．第２の実施形態
３−１．第２の実施形態による撮像装置の構成
３−２．第２の実施形態による撮像装置の動作
４．むすび
【００１４】
＜＜１．画像公開支援システムの基本構成＞＞
本開示による技術は、一例として「２．第１の実施形態」〜「３．第２の実施形態」において詳細に説明するように、多様な形態で実施され得る。また、表示制御装置としての機能を有する各実施形態による撮像装置２０は、
Ａ．画像データを管理するネットワーク上の１または２以上のサービス提供サーバから１または２以上の画像データに関するデータを取得する取得部（ネットワークＩ／Ｆ２４８）と、
Ｂ．前記取得部により取得されたデータのうちで、前記１または２以上の画像データの各々の注目度に応じた画像データに関するデータに基づく表示、および対象画像を含む表示画面を生成する表示制御部（映像信号生成処理部２１６）と、を備える。
【００１５】
以下では、まず、このような撮像装置２０を含む画像公開支援システムの基本構成を説明する。
【００１６】
図１は、本開示の実施形態による画像公開支援システムの構成を示した説明図である。図１に示したように、本開示の実施形態による画像公開支援システムは、ネットワーク１２と、撮像装置２０と、Ｗサービス提供サーバ１０Ｗ、Ｘサービス提供サーバ１０Ｘ、Ｙサービス提供サーバ１０ＹおよびＺサービス提供サーバ１０Ｚを備える。なお、以下では、必要に応じてＷサービス提供サーバ１０Ｗ、Ｘサービス提供サーバ１０Ｘ、Ｙサービス提供サーバ１０ＹおよびＺサービス提供サーバ１０Ｚを単にサービス提供サーバ１０と総称する。
【００１７】
撮像装置２０、および各サービス提供サーバ１０は、ネットワーク１２を介して接続される。ネットワーク１２は、ネットワーク１２に接続されている装置から送信される情報の有線、または無線の伝送路である。例えば、ネットワーク１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００１８】
各サービス提供サーバ１０は、多様なユーザによりアップロードされた画像データを管理する。また、各サービス提供サーバ１０は、各画像データのアクセス回数やダウンロード回数などを管理する。なお、各サービス提供サーバ１０は、複数のユーザをグループ分けして管理する場合が多い。
【００１９】
撮像装置２０は、画像データの撮像、撮像により得られた画像データの保存、および画像データの再生などを行う。以下、図２を参照し、撮像装置２０の構成を説明する。
【００２０】
（撮像装置の構成）
図２は、撮像装置２０の構成を示した機能ブロック図である。図２に示したように、撮像装置２０は、撮像レンズ２０２、撮像素子２０４、アナログ信号処理部２０６、Ａ／Ｄ変換部２０８、デジタル信号処理部２１０、音声入力部２１２、データ変換部２１４、映像信号生成処理部２１６、表示部２１８、音声信号生成処理部２２０、音声出力部２２２、外部メディア２２４、Ｉ／Ｏ制御部２２６、操作入力部２２８、ＣＰＵ（Ｃｅｎｔｒａｌ  Ｐｒｏｃｅｓｓｉｎｇ  Ｕｎｉｔ）２３０、プログラムメモリ２４２、ＲＡＭ（Ｒａｎｄｏｍ  Ａｃｃｅｓｓ  Ｍｅｍｏｒｙ）２４４、内部メモリ２４６、ネットワークＩ／Ｆ２４８および制御バス２４０を備える。デジタル信号処理部２１０、Ｉ／Ｏ制御部２２６、音声入力部２１２、データ変換部２１４、ＣＰＵ２３０、プログラムメモリ２４２、ＲＡＭ２４４、内部メモリ２４６およびネットワークＩ／Ｆ２４８などの間では制御バス２４０を介してデータが通信される。
【００２１】
撮像レンズ２０２は、被写体から発せられる光を集光して撮像素子２０４の撮像面状に被写体像を形成する。撮像素子２０４は、撮像面に形成された被写体像を電気的な画像信号に変換する。このような撮像レンズ２０２および撮像素子２０４は撮像部として機能する。アナログ信号処理部２０６は、撮像素子２０４から入力される画像信号にアナログ処理を施し、Ａ／Ｄ変換部２０８は、アナログ信号処理部２０６によりアナログ処理が施された画像信号のデータ形式をデジタル形式に変換する。デジタル信号処理部２１０は、デジタル形式に変換された画像信号にデジタル処理を施し、デジタル処理により得られた画像データを出力する。
【００２２】
音声入力部２１２は、収音により音声データを取得する。音声データは、制御バス２４０を介して内部メモリ２４６またはデータ変換部２１４などに出力される。
【００２３】
データ変換部２１４は、音声入力部２１２から出力された音声データ、デジタル信号処理部２１０から出力された画像データ、内部メモリ２４６または外部メディア２２４から読み出された音声データまたは画像データなどを必要に応じて処理する。
【００２４】
映像信号生成処理部２１６は、デジタル信号処理部２１０、データ変換部２１４、またはＣＰＵ２３０などから供給される画像データに基づき、映像信号を生成する表示制御部である。表示部２１８は、映像信号生成処理部２１６から供給される映像信号に基づいて画像を表示する。なお、表示部２１８は、液晶ディスプレイ（ＬＣＤ）装置、またはＯＬＥＤ（Ｏｒｇａｎｉｃ  Ｌｉｇｈｔ  Ｅｍｉｔｔｉｎｇ  Ｄｉｏｄｅ）装置であってもよい。
【００２５】
音声信号生成処理部２２０は、音声入力部２１２またはデータ変換部２１４などから供給される音声データに基づき、音声信号を生成する。音声出力部２２２は、音声信号生成処理部２２０から供給される音声信号に基づいて音声を出力する。なお、音声出力部２２２は、スピーカ、ヘッドホンまたはイヤホンであってもよい。
【００２６】
外部メディア２２４は、画像データまたは音声データを記憶する記憶媒体であり、撮像装置２０に対して着脱可能に撮像装置２０に接続される。Ｉ／Ｏ制御部２２６は、外部メディア２２４に記憶されている画像データまたは音声データの読み出し、および、外部メディア２２４への画像データまたは音声データの書き込みを制御する。なお、外部メディア２２４は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、フラッシュメモリ、ＳＤカード、マイクロＳＤカード、ＵＳＢメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）およびＢＤ（Ｂｌｕ−Ｒａｙ  Ｄｉｓｃ（登録商標））などがあげられる。
【００２７】
操作入力部２２８は、ユーザによる操作情報が入力され、ユーザによる操作情報をＣＰＵ２３０に供給する。例えば、操作入力部２２８には、動画記録／停止ボタン、シャッターボタン、および電源ボタンなどの撮像装置２０に設けられた操作子に対する操作情報が入力される。
【００２８】
ＣＰＵ２３０は、演算処理装置および制御装置として機能し、各種プログラムに従って撮像装置２０内の動作全般を制御する。ＲＯＭ２４２は、ＣＰＵ２３０が使用するプログラムや演算パラメータ等を記憶する。ＲＡＭ２４４は、ＣＰＵ２３０の作業領域であり、ＣＰＵ２３０が実行するプログラムや、その実行において適宜変化するパラメータ等を一時記憶する。
【００２９】
内部メモリ２４６は、画像データまたは音声データを記憶する記憶媒体である。この内部メモリ２４６は、外部メディア２２４と同様に、不揮発性メモリ、磁気ディスク、光ディスク、およびＭＯディスクなどの記憶媒体であってもよい。
【００３０】
ネットワークＩ／Ｆ２４８は、ネットワーク１２を介して外部機器と通信を行う。例えば、ネットワークＩ／Ｆ２４８は、各サービス提供サーバ１０から画像データ、および画像関連情報を取得する取得部として機能する。
【００３１】
以上、表示制御装置の一例として撮像装置２０の構成を説明したが、表示制御装置は撮像装置２０に限定されない。例えば、表示制御装置は、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。また、表示制御装置は、スマートフォン、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの携帯型の情報処理装置であってもよい。
【００３２】
＜＜２．第１の実施形態＞＞
続いて、本開示の第１の実施形態を説明する。本開示の第１の実施形態による撮像装置２０は、図３に示す表示画面３０のように、撮像により得られた画像データ３６と共に、サービス提供サーバ１０において注目度の高い画像データのサムネイル３８ａ、３８ｂ、および３８ｃを表示する。かかる構成により、ユーザは、対象の画像データ３６をアップロードした場合に注目を集め得る画像であるか否かを把握すること、および、アップロードした場合に注目を集め得る画像を効率的に撮像することが可能となる。以下、このような本開示の第１の実施形態による撮像装置２０の構成および動作について順次詳細に説明する。
【００３３】
＜２−１．第１の実施形態による撮像装置の構成＞
図４は、第１の実施形態による撮像装置２０のＣＰＵ２３０の機能を示した説明図である。図４に示したように、ＣＰＵ２３０は、スコア処理部２３２、画像解析部２３３、画像選択部２３４および処理実行部２３６の機能を有する。
【００３４】
（スコア処理）
スコア処理部２３２は、ネットワークＩ／Ｆ２４８により各サービス提供サーバ１０から取得された画像データの注目度を示すスコアを特定し、スコア上位の画像データを抽出する。例えば、スコア処理部２３２は、各画像データについて、各サービス提供サーバ１０が管理するグループごとに、異なる絞り込み条件に従ってスコアを特定する。具体的には、グループとしては、「友人グループ」、「スポーツ好きグループ」、「スポーツ好きな友人グループ」などが挙げられる。また、スコア処理部２３２は、Ｘサービス提供サーバ１０Ｘが管理する「スポーツ好きグループ」に属するユーザが画像データをダウンロードした回数を、グループ「スポーツ好きグループ」、絞り込み条件「ダウンロード回数」に従うスコアとして特定してもよい。なお、他の絞り込み条件としては、直近３日間のアクセス数、引用回数、コメント数などが挙げられる。そして、スコア処理部２３２は、各グループ、絞り込み条件の組み合わせにおいてスコア上位の画像データを抽出する。なお、サムネイル、ダウンロード回数、およびアクセス数などの画像データに関連する画像関連情報は、画像データと共に各サービス提供サーバ１０から取得される。また、ネットワークＩ／Ｆ２４８による画像データなどの取得、および、スコア処理部２３２による処理は、撮像装置２０の遊休時に行われてもよいし、撮像時に行われてもよい。
【００３５】
（画像解析）
画像解析部２３３は、スコア処理部２３２により抽出された各グループ、絞り込み条件の組み合わせにおけるスコア上位の画像ＥＸＩＦ情報、各種メタ情報または画像データを解析し、画像データの取得時の撮影設定、または画像データについて実行されたアプリケーションを推定する。例えば、解析対象の画像データにおいて、照度の低い背景の中で人物がフラッシュで浮かび上がって写っている場合、画像解析部２３３は、当該画像データは撮影設定「人物＆夜景」で撮影されたと推定する。画像解析部２３３による解析結果は、画像データと関連付けて内部メモリ２４６に保存される。なお、アプリケーションとしては、美白処理やセピア色処理などの各種エフェクトを施すアプリケーションが挙げられる。
【００３６】
（画像選択および表示）
画像選択部２３４は、ネットワークＩ／Ｆ２４８により各サービス提供サーバ１０から取得された画像データから、ユーザにより指定されたサービス提供サーバ１０のグループおよび絞り込み条件の組み合わせにおいてスコア上位の画像データを選択する。以下、図５〜図７を参照し、ユーザがサービス提供サーバ１０のグループおよび絞り込み条件の組み合わせを指定するための表示画面例を説明する。
【００３７】
図５は、サービス選択画面の具体例を示した説明図である。図５に示したように、サービス選択画面４０は、各サービス提供サーバ１０が提供するサービスの選択項目を含む。例えば、サービス選択画面４０は、図５に示したように、Ｗサービス提供サーバ１０Ｗが提供するＷサービスの選択項目４２Ｗ、Ｗサービス提供サーバ１０Ｘが提供するＸサービスの選択項目４２Ｘ、Ｙサービス提供サーバ１０Ｙが提供するＹサービスの選択項目４２Ｙ、およびＺサービス提供サーバ１０Ｚが提供するＺサービスの選択項目４２Ｚを含む。このサービス選択画面においてユーザが所望のサービスを選択すると、撮像装置２０は、選択されたサービスを提供するサービス提供サーバ１０が管理するグループを選択するためのグループ選択画面を表示する。
【００３８】
図６は、グループ選択画面の具体例を示した説明図である。図６に示したように、グループ選択画面５０は、サービス提供サーバ１０が管理するグループの選択項目を含む。例えば、グループ選択画面５０は、図６に示したように、「スポーツ好きグループ」の選択項目５２、および「車好きグループ」の選択項目５４を含む。このグループ選択画面においてユーザが所望のグループを選択すると、撮像装置２０は、図７に示すような絞り込み条件の選択画面を表示する。
【００３９】
図７は、絞り込み条件の選択画面の具体例を示した説明図である。図７に示したように、絞り込み条件の選択画面６０は、スコアの特定方法に相当する絞り込み条件の選択項目を含む。例えば、絞り込み条件の選択画面６０は、図７に示したように、「ダウンロード回数」の選択項目６２、および「アクセス回数」の選択項目６４などを含む。
【００４０】
画像選択部２３４は、このような表示画面を介してユーザにより指定、選択されたサービス提供サーバ１０のグループおよび絞り込み条件の組み合わせにおいて上位スコアを有する画像データを、サービス提供サーバ１０から取得された画像データから選択する。なお、上記ではサービス、グループおよび絞り込み条件を１つずつ指定する例を説明したが、ユーザは、複数のサービス、グループまたは絞り込み条件を指定することも可能である。また、サービス、グループおよび絞り込み条件の組み合わせは固定されていてもよい。また、サービス、グループおよび絞り込み条件の組み合わせはランダムに選択されてもよい。また、画像選択部２３４は、上位スコアを有する画像データのうちで、現在の撮影設定と同一の条件で撮像された画像データ、同一人物の顔画像を含む画像データ、ＧＰＳ情報が近い画像データ、撮像時刻が近い画像データ、または構図が類似する画像データを優先的に選択してもよい。
【００４１】
画像選択部２３４により画像データが選択されると、選択された画像データ、または当該画像データのサムネイルは、映像信号生成処理部２１６に供給される。また、映像信号生成処理部２１６には、デジタル信号処理部２１０から、撮像待機中に得られた画像データ、または撮像中に得られた画像データが供給される。映像信号生成処理部２１６は、デジタル信号処理部２１０から供給される画像データに、画像選択部２３４により選択された画像データ、または当該画像データのサムネイルを重畳することにより、図３に示したような表示画面３０を生成することが可能である。これにより、ユーザは、対象の画像データ３６をアップロードした場合に注目を集め得る画像であるか否かを把握すること、および、アップロードした場合に注目を集め得る画像を効率的に撮像することが可能となる。
【００４２】
また、図３に示した表示画面３０において、ユーザがサムネイル３８に対して特定の操作を行うと、映像信号生成処理部２１６は、図８に示すように、画像関連情報を含む映像信号を生成する。
【００４３】
図８は、画像関連情報を含む表示画面の具体例を示した説明図である。図８に示したように、表示画面３１は、撮像により得られた画像データ３６、スコア上位の画像データのサムネイル３８に加え、ユーザにより選択されたサムネイル３８ａに関する画像関連情報３９を含む。画像関連情報３９は、図８に示したように、サムネイルに対応する画像データのアクセス数、直近のアクセス者、画像が撮影された日時・位置、アクセス者が含まれるグループ名、およびアクセス者が画像に対して書き込んだコメントなどが挙げられる。また、映像信号生成処理部２１６は、特定のサービスで友人登録がされているアクセス者の名前だけを表示してもよい。かかる構成により、ユーザは、注目度の高い画像データの内容だけでなく、どのようなユーザからの注目度が高いか、注目度はどの程度かなどのより詳細な情報を把握することが可能となる。なお、ユーザ操作によらずに画像関連情報３９を恒常的に表示しておくことも可能である。
【００４４】
図９は、表示画面の変形例を示した説明図である。図９に示した表示画面３２においては、複数のサムネイル３８ａ〜３８ｃが重ねて配置されている。かかる構成によれば、撮像により得られた画像データ３６の表示領域を広くできるので、ユーザビリティの工場が見込まれる。なお、サムネイル３８の表示は、ユーザによるフリック操作やフラッグ操作に従って開始されてもよい。
【００４５】
（画像処理）
ここで、図４を参照してＣＰＵ２３０の機能の説明に戻る。処理実行部２３６は、ユーザがサムネイル３８に対し、画像関連情報の表示のための操作と異なる特定の操作を行うと、サムネイル３８に関連付けられた撮影設定やアプリケーションの実行を行う。例えば、ユーザにより操作されたサムネイル３８がシーン選択条件「人物＆夜景」という状態で撮影された画像データに対応する場合、処理実行部２３６は、図１０に示すように撮影設定を「人物＆夜景」に変更してもよい。ここで、表示されているサムネイル３８は注目度の高い画像データに対応するので、当該画像データに適用されている撮影設定やアプリケーションを適用することにより、注目を集め得る画像データの撮像を支援することが可能となる。
【００４６】
なお、画像関連情報の表示のための操作がサムネイル３８の短押しである場合、処理実行のための操作はサムネイル３８の長押しであってもよい。また、画像関連情報の表示のための操作がサムネイル３８を下から引き出す操作である場合、処理実行のための操作はサムネイル３８の短押しであってもよい。
【００４７】
また、ユーザにより操作されたサムネイル３８に関連付けられた撮影設定やアプリケーションは、画像データに埋め込まれていてもよいし、画像解析部２３３による解析結果であってもよい。
【００４８】
＜２−２．第１の実施形態による撮像装置の動作＞
以上、本開示の第１の実施形態による撮像装置２０の構成を説明した。続いて、サービス提供サーバ１０からの画像データの取得時の動作、および撮像時の動作を整理する。
【００４９】
（画像データの取得時の動作）
図１１は、画像データの取得時の動作を示したフローチャートである。図１１に示したように、まず、撮像装置２０のネットワークＩ／Ｆ２４８が、サービス提供サーバ１０などの外部サーバから画像データおよび画像関連情報を取得する（Ｓ３０４）。そして、内部メモリ２４６は、ネットワークＩ／Ｆ２４８により取得された画像データおよび画像関連情報を保存する（Ｓ３０８）。
【００５０】
続いて、スコア処理部２３２は、ネットワークＩ／Ｆ２４８により各サービス提供サーバ１０から取得された画像データの注目度を示すスコアを特定し、スコア上位の画像データを抽出する（Ｓ３１２）。
【００５１】
そして、画像解析部２３３は、スコア処理部２３２により抽出された各グループ、絞り込み条件の組み合わせにおけるスコア上位の画像データを解析し、画像データの取得時の撮影設定、または画像データについて実行されたアプリケーションを推定する（Ｓ３１６）。画像解析部２３３による解析結果は、画像データと関連付けて内部メモリ２４６に保存される。
【００５２】
（撮像時の動作）
図１２は、撮像時の動作を示したフローチャートである。図１２に示したように、まず、ユーザが、サービス、グループおよび絞り込み条件の組み合わせを選択すると（Ｓ３２０）、画像選択部２３４は、選択された組み合わせにおけるスコア上位の画像データを選択する（Ｓ３２４）。そして、画像選択部２３４により画像データが選択されると、映像信号生成処理部２１６は、デジタル信号処理部２１０から供給される撮像により得られた画像データに、画像選択部２３４により選択された画像データ、または当該画像データのサムネイルを重畳することにより、図３に示したような表示画面３０を表示部２１８に表示させる（Ｓ３２４）。
【００５３】
その後、ユーザにより画像関連情報の表示のための操作が行われた場合（Ｓ３２８）、映像信号生成処理部２１６は、図８に示すように、ユーザにより選択されたサムネイルについての画像関連情報を表示部２１８に表示させる（Ｓ３３２）。
【００５４】
また、ユーザにより処理実行のための操作が行われた場合（Ｓ３３６）、処理実行部２３６は、撮像待機中の画像データ、または撮像された画像データについて、ユーザにより選択されたサムネイル３８に関連付けられた撮影設定やアプリケーションを実行する（Ｓ３４０）。
【００５５】
＜＜３．第２の実施形態＞＞
以上、本開示の第１の実施形態を説明した。第１の実施形態では、画像データの撮像時に注目度の高い画像データのサムネイルを表示する例を説明したが、以下に第２の実施形態として説明するように、画像データの再生時にユーザにアップロードを推奨することも可能である。
【００５６】
＜３−１．第２の実施形態による撮像装置の構成＞
図１３は、第２の実施形態による撮像装置２０のＣＰＵ２３１の機能を示した説明図である。図１３に示したように、ＣＰＵ２３１は、スコア処理部２３２、画像解析部２３３、類似画像検索部２３７の機能を有する。スコア処理部２３２および画像解析部２３３の機能は第１の実施形態で説明した通りであるので、ここでの詳細な説明を省略する。
【００５７】
類似画像検索部２３７は、内部メモリ２４６または外部メディア２２４などから読み出されて再生中の画像データとの類似度が閾値以上であり、かつ、ユーザにより指定されたサービス提供サーバ１０のグループおよび絞り込み条件の組み合わせにおいてスコア上位の画像データを検索する。ここで、類似画像検索部２３７は、再生中の画像データと、撮影設定、構図、含まれる人物、撮影位置、または撮影時刻などのいずれか又は組み合わせが類似する画像データを検索してもよい。
【００５８】
類似画像検索部２３７に画像データが検索されると、検索された画像データ、または当該画像データのサムネイルは、映像信号生成処理部２１６に供給される。また、映像信号生成処理部２１６には、内部メモリ２４６または外部メディア２２４などから再生のための画像データが供給される。映像信号生成処理部２１６は、再生のための画像データに、検索された画像データのサムネイルを重畳し、図１４に示すような表示画面を表示部２１８に表示させてもよい。
【００５９】
図１４は、表示画面の具体例を示した説明図である。図１４に示したように、表示画面３４は、再生中の画像データ３７、類似画像検索部２３７により検索された画像データのサムネイル３８ａ、および画像関連情報３９を含む。画像関連情報３９については第１の実施形態で説明した通りであるので、ここでの詳細な説明を省略する。
【００６０】
さらに、表示画面３４は、図１４に示したように、例えば「アップロードをおすすめします」というメッセージ３５のように、再生中の画像データのアップロードを推奨する表示を含む。かかる構成により、ユーザは、再生中の画像データが他のユーザからの注目を集め得る画像データであることを把握することが可能である。
【００６１】
なお、類似画像検索部２３７は、アップロード済みの画像データのアップロードが再度推奨されないように、各画像データのファイル情報、タグ、またはメタ情報に基づいて既に各画像データがアップロード済みであるか否かを判断してもよい。
【００６２】
また、上記では再生中の画像データと類似度が閾値以上であり、かつ、ユーザにより指定されたサービス提供サーバ１０のグループおよび絞り込み条件の組み合わせにおいてスコア上位の画像データを検索する例を説明したが、本実施形態はかかる例に限定されない。例えば、類似画像検索部２３７は、内部メモリ２４６または外部メディア２２４などに保存されている各画像データについて、類似度が閾値以上であり、かつ、ユーザにより指定されたサービス提供サーバ１０のグループおよび絞り込み条件の組み合わせにおいてスコア上位の画像データの検索を試みてもよい。
【００６３】
＜３−２．第２の実施形態による撮像装置の動作＞
以上、本開示の第２の実施形態による撮像装置２０の構成を説明した。続いて、図１５を参照し、第２の実施形態による撮像装置２０の動作を整理する。
【００６４】
図１５は、第２の実施形態による撮像装置２０の動作を示したフローチャートである。図１５に示したように、まず、ユーザが、サービス、グループおよび絞り込み条件の組み合わせを選択すると（Ｓ４１０）、類似画像検索部２３７が、選択された組み合わせにおけるスコア上位の画像データから、再生中の画像データに類似する類似画像データを検索する（Ｓ４２０）。
【００６５】
そして、類似画像検索部２３７により類似画像データが検索された場合（Ｓ４３０）、映像信号生成処理部２１６は、類似画像データのサムネイル、および再生中の画像データのアップロードを誘導するメッセージを表示部２１８に表示させる（Ｓ４４０）。
【００６６】
また、ユーザにより画像関連情報の表示のための操作が行われた場合（Ｓ４５０）、映像信号生成処理部２１６は、図１４に示すように、ユーザにより選択されたサムネイルについての画像関連情報を表示部２１８に表示させる（Ｓ４６０）。
【００６７】
＜＜４．むすび＞＞
以上説明したように、本開示の実施形態によれば、撮像時に、注目度の高い画像データのサムネイルを表示すること、および、注目度の高い画像データの撮像設定を簡易に再現することが可能となる。また、再生時おいても、注目度の高い画像データのサムネイルを表示すると共に、他のユーザから注目を集め得る画像データのアップロードを推奨することが可能である。
【００６８】
また、上記サムネイルのような提示情報は、一般的なお勧めや撮影技術でなく、ユーザが指定したグループ関係者のニーズにあった情報であるので、特定のグループ関係者のニーズにあった画像の撮像を支援することが可能である。また、絞り込み条件をランダムに設定することも可能である。この場合、ユーザが今まで意識していなかったニーズに応える画像の撮像を支援することができる。また、撮像した画像データをアップロードするというサイクルを回す意欲が増加することも期待されるので、画像データを用いたコミュニケーションをユーザに一層楽しんでもらうことが可能となる。
【００６９】
また、潜在的なニーズがあったがアップロードされていなかった画像データについても、再生時にアップロードを推奨することにより、更なるコミュニケーションの機会を提供することが可能となる。
【００７０】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７１】
例えば、本明細書の撮像装置２０の処理における各ステップは、必ずしもフローチャートとして記載された順序に沿って時系列に処理する必要はない。例えば、撮像装置２０の処理における各ステップは、フローチャートとして記載した順序と異なる順序で処理されても、並列的に処理されてもよい。
【００７２】
また、撮像装置２０に内蔵されるＣＰＵ２３０などのハードウェアを、上述した撮像装置２０の各構成と同等の機能を発揮させるためのコンピュータプログラムも作成可能である。また、該コンピュータプログラムを記憶させた記憶媒体も提供される。
【００７３】
また、以下のような構成も本開示の技術的範囲に属する。
（１）
画像データを管理するネットワーク上の１または２以上のサービス提供サーバから１または２以上の画像データに関するデータを取得する取得部と、
前記取得部により取得されたデータのうちで、前記１または２以上の画像データの各々の注目度に応じた画像データに関するデータに基づく表示、および対象画像を含む表示画面を生成する表示制御部と、
を備える、表示制御装置。
（２）
前記画像データに関するデータは、前記画像データまたは前記画像データのサムネイルデータを含む、前記（１）に記載の表示制御装置。
（３）
前記表示制御装置は、
前記取得部により取得されたデータから、注目度の高い画像データに関するデータを優先的に選択する画像選択部をさらに備え、
前記表示制御部は、前記画像選択部により選択されたデータに基づく表示を含む表示画面を生成する、前記（１）または（２）に記載の表示制御装置。
（４）
前記画像選択部は、ユーザにより指定されたサービス提供サーバから取得されたデータから前記選択を行う、前記（３）に記載の表示制御装置。
（５）
前記画像選択部は、ユーザにより指定されたサービス提供サーバが管理する複数のグループのうちの、ユーザにより指定されたグループにおける注目度に応じて前記選択を行う、前記（４）に記載の表示制御装置。
（６）
前記画像選択部は、前記注目度をユーザにより指定された条件に従って特定する、前記（３）〜（５）のいずれか一項に記載の表示制御装置。
（７）
前記表示制御装置は、
前記対象画像について、前記画像データに関するデータに基づく表示から選択された表示に関連付けられた処理を実行する処理部をさらに備える、前記（１）〜（６）のいずれか一項に記載の表示制御装置。
（８）
前記表示制御装置は、
撮像部をさらに備え、
前記対象画像は、前記撮像部の撮像により得られた画像である、前記（１）〜（７）のいずれか一項に記載の表示制御装置。
（９）
前記表示制御装置は、
記憶部をさらに備え、
前記対象画像は、前記記憶部に記憶された画像データの再生により得られる画像である、前記（１）〜（７）のいずれか一項に記載の表示制御装置。
（１０）
前記表示制御部は、前記取得部により取得されたデータのうちで、前記対象画像との類似度が閾値以上であり、かつ、注目度が閾値以上である画像データに関するデータが存在する場合、前記１または２以上のサービス提供サーバへの前記対象画像のアップロードを推奨する表示を含む表示画面を生成する、前記（９）に記載の表示制御装置。
（１１）
画像データを管理するネットワーク上の１または２以上のサービス提供サーバから１または２以上の画像データに関するデータを取得することと、
前記１または２以上の画像データに関するデータのうちで、前記１または２以上の画像データの各々の注目度に応じた画像データに関するデータに基づく表示、および対象画像を含む表示画面を生成することと、
を含む、表示制御方法。
（１２）
コンピュータを、
画像データを管理するネットワーク上の１または２以上のサービス提供サーバから１または２以上の画像データに関するデータを取得する取得部と、
前記取得部により取得されたデータのうちで、前記１または２以上の画像データの各々の注目度に応じた画像データに関するデータに基づく表示、および対象画像を含む表示画面を生成する表示制御部と、
として機能させるための、プログラム。
【符号の説明】
【００７４】
１０  サービス提供サーバ
１２  ネットワーク
２０  撮像装置
２０２  撮像レンズ
２０４  撮像素子
２０６  アナログ信号処理部
２０８  Ａ／Ｄ変換部
２１０  デジタル信号処理部
２１２  音声入力部
２１４  データ変換部
２１６  映像信号生成処理部
２１８  表示部
２２０  音声信号生成処理部
２２２  音声出力部
２２４  外部メディア
２２６  Ｉ／Ｏ制御部
２２８  操作入力部
２３０  ＣＰＵ
２３２  スコア処理部
２３３  画像解析部
２３４  画像選択部
２３６  処理実行部
２３７  類似画像検索部
２４０  制御バス
２４２  プログラムメモリ
２４４  ＲＡＭ
２４６  内部メモリ
２４８  ネットワークＩ／Ｆ
【図１】
2014032446.tif 000003
【図２】
2014032446.tif 000004
【図３】
2014032446.tif 000005
【図４】
2014032446.tif 000006
【図５】
2014032446.tif 000007
【図６】
2014032446.tif 000008
【図７】
2014032446.tif 000009
【図８】
2014032446.tif 000010
【図９】
2014032446.tif 000011
【図１０】
2014032446.tif 000012
【図１１】
2014032446.tif 000013
【図１２】
2014032446.tif 000014
【図１３】
2014032446.tif 000015
【図１４】
2014032446.tif 000016
【図１５】
2014032446.tif 000017